(57)【要約】【課題】粗いごみから微細なごみまでのすべてを、目詰まりを生じることなく円筒状スクリーンにて濾過除去し、さらには、他の動力源を一切用いることなく円筒状スクリーンの清掃も自動的に行えるようにした越流水の除塵装置を提供すること。【解決手段】越流雨水幹への落ち口に越流堰１を形成し、越流堰１の上に、越流水を遮るように円筒状スクリーン２を配設するとともに、円筒状スクリーン２にその内面に沿って回転するスクリュー３を配設し、スクリュー３のブレード４の先端に円筒状スクリーン２を擦るブラシ５を設ける。【選択図】図１
2006193959.tif 000002
【特許請求の範囲】
【請求項１】
流水路の越流堰の上に円筒状スクリーンを配設するとともに、該円筒状スクリーンにその内面に沿って回転するスクリューを配設し、該スクリューのブレードの先端に円筒状スクリーンを擦るブラシを設けたことを特徴とする越流水の除塵装置。
【請求項２】
円筒状スクリーンのほぼ全長に亘り前記スクリューを配設するとともに、該スクリューの下流側端部に、その回転軸から半径方向に延設された平板状のスクレーパを設けたことを特徴とする請求項１記載の越流水の除塵装置。
【請求項３】
越流水の流下水圧にて回転する水車を円筒状スクリーンの下に設置するとともに、前記スクリューを該水車の回転力で駆動するようにしたことを特徴とする請求項１又は２記載の越流水の除塵装置。
【発明の詳細な説明】
【技術分野】
【０００１】
本発明は、越流水の除塵装置に関し、特に、流水路の越流堰に配設した円筒状スクリーンにより、目詰まりを生じさせることなく効率的かつ確実に除塵することができる越流水の除塵装置に関するものである。
【背景技術】
【０００２】
従来、分流式下水道の管渠施設においては、雨天時における雨水を一時的に雨水貯留池に貯留したり、また、合流式管渠の雨水吐き室では、雨水流出量の内、処理場で汚水として扱う下水量以上の雨水を放流管渠によって河川や海域、湖沼等に放流するようにしている。
これらの施設では、雨水貯留池への流入部や放流管渠への流入部に適当な高さの越流堰を設け、該越流堰で雨水流入量を調整するようにはしているが、降雨初期の増水に伴う前記施設への越流水には、分流式下水道の雨水管渠では道路面のごみが、また、合流式管渠では道路面のごみや汚物等が含まれている。
これらのごみ等は、越流部分から貯留池や河川等へと流れ込むため、利水における障害となったり、放流水域を汚濁するという問題がある。
【０００３】
そのため、このような利水上の障害や放流水域の汚濁を防止する目的で、雨水に含まれるごみ等が貯留池や河川等へ流入するのを防ぐように、合流管渠の主幹線から越流雨水幹線への落ち口等に除塵装置を配設している。
この除塵装置としては、越流雨水幹への落ち口等に、バースクリーンを垂直あるいは上部が後退するように傾斜して配設し、バースクリーンに捕捉されたごみを、バースクリーンに沿って移動するようにしたレーキ装置にて掻き揚げ排出するものがある。
あるいは、ドーナツ形をしたディスクを所定のスクリーン目幅間隔でディスク軸に串装し、これら並設したディスク軸を駆動手段にて回転させるようにしたディスクスクリーン等を除塵装置として採用している。
【０００４】
ところで、上記従来の越流水の除塵装置では、バースクリーン式除塵機やディスクスクリーン式除塵機のいずれにおいても、スクリーンの目幅は、除去すべきごみの大きさに合わせて予め定められているが、流入する雨水に混在する粗いごみから微細なごみまですべてを除去することができず、粗目のスクリーンでは微細目のごみの除去は困難であり、反対に微細目のスクリーンでは目詰まりが頻繁に生じるなどの問題があった。
また、スクリーンに詰まったごみを除去するためのごみ除去手段を備えると、これを駆動する駆動手段も必要となり、このため除塵装置の構造が複雑となり、高価なものになるという問題があった。
【発明の開示】
【発明が解決しようとする課題】
【０００５】
本発明は、上記従来の越流水の除塵装置が有する問題点に鑑み、粗いごみから微細なごみまでのすべてを、目詰まりを生じることなく円筒状スクリーンにて濾過除去し、さらには、他の動力源を一切用いることなく円筒状スクリーンの清掃も自動的に行えるようにした越流水の除塵装置を提供することを目的とする。
【課題を解決するための手段】
【０００６】
上記目的を達成するため、本発明の越流水の除塵装置は、流水路の越流堰の上に円筒状スクリーンを配設するとともに、該円筒状スクリーンにその内面に沿って回転するスクリューを配設し、該スクリューのブレードの先端に円筒状スクリーンを擦るブラシを設けたことを特徴とする。
【０００７】
この場合において、円筒状スクリーンのほぼ全長に亘り前記スクリューを配設するとともに、該スクリューの下流側端部に、その回転軸から半径方向に延設された平板状のスクレーパを設けることができる。
【０００８】
また、越流水の流下水圧にて回転する水車を円筒状スクリーンの下に設置するとともに、前記スクリューを該水車の回転力で駆動することができる。
【発明の効果】
【０００９】
本発明の越流水の除塵装置によれば、流水路の越流堰の上に円筒状スクリーンを配設するとともに、該円筒状スクリーンにその内面に沿って回転するスクリューを配設し、該スクリューのブレードの先端に円筒状スクリーンを擦るブラシを設けることから、円筒状スクリーンによって粗いごみから微細なごみまで捕集し、回転するスクリューにより円筒状スクリーン内のごみを下流側に送るとともに、スクリューブレードのブラシによりスクリーンの目に付着したごみを除去することができ、これにより、円筒状スクリーンに目詰まりを生じることなく、越流水に含まれるごみを効率的に除塵することができる。
また、回転駆動するスクリューをごみの掻き取りに用いることから、従来の直線状に駆動するブレードに比較し、負荷変動やごみ掻き取りに対する改善効果も合わせ持つ。
【００１０】
この場合、円筒状スクリーンのほぼ全長に亘り前記スクリューを配設するとともに、該スクリューの下流側端部に、その回転軸から半径方向に延設された平板状のスクレーパを設けることにより、回転するスクリューにより円筒状スクリーン内のごみを下流側に送るとともに、スクリューの下流側端部でスクレーパにより円筒状スクリーンから流水路側にごみを排出することができる。
【００１１】
また、越流水の流下水圧にて回転する水車を円筒状スクリーンの下に設置するとともに、前記スクリューを該水車の回転力で駆動することにより、他の動力源を一切用いることなく、ごみの捕集から掻き出し及び円筒状スクリーンの清掃を自動的に行うことができる。
【発明を実施するための最良の形態】
【００１２】
以下、本発明の越流水の除塵装置の実施の形態を図面に基づいて説明する。
【実施例１】
【００１３】
図１に、本発明の越流水の除塵装置を、越流雨水幹への落ち口に適用した第１実施例を示す。
この越流水の除塵装置は、越流雨水幹への落ち口に越流堰１を形成し、該越流堰１の上に、越流水を遮るように円筒状スクリーン２を配設するとともに、該円筒状スクリーン２にその内面に沿って回転するスクリュー３を配設し、該スクリュー３のブレード４の先端に円筒状スクリーン２を擦るブラシ５を設けている。
円筒状スクリーン２の下には、越流水の流下水圧にて回転する水車６が設置されており、チェーンやベルト７等を介して、前記スクリュー３を該水車６の回転力で駆動するようにしている。水車６は、円筒状スクリーン２を通過し、案内桶８等で集められた越流水の流下水圧にて回転する。
【００１４】
円筒状スクリーン２は、所要の径と長さを有し、流水路Ｓ側に開口する半円筒状の濾過体からなり、周面はパンチングメタル等の微細目スクリーンで構成されるとともに、両端部は端板２１により閉塞されている。
なお、円筒状スクリーン２を越流堰１の上に配設する際は、例えば、図１に示すように、越流雨水の水位が円筒状スクリーン２の中心付近になるように設定し、円筒状スクリーン２の上部を水面から突出させる一方、下部を水面下に没するようにして、越流雨水に含まれるごみ（夾雑物）を濾過し除去する濾過部とする。
【００１５】
スクリュー３は、円筒状スクリーン２のほぼ全長に亘って配設されており、該スクリュー３の下流側端部には、その回転軸から半径方向に延設された平板状のスクレーパ９が設けられている。
スクリュー３は、その帯状のブレード４が回転軸３１から突出する複数のバー３２により螺旋状に支持された金属製のものからなり、円筒状スクリーン２のごみを下流側に送る方向に回転する。また、スクレーパ９はスクリュー３と一体に回転し、円筒状スクリーン２の上部位置でごみを前方に押し出す方向に回転する。
これにより、例えば、粗いごみに対してはスクリューブレード４にてごみを排除し、下流側位置においてはスクレーパ９にてごみを所定の方向・位置に移送できるようにし、１つの円筒状スクリーン２において、２つの異なる機能を有するようにしている。
また、スクリューブレード４の先端全体にはブラシ５を植設していることから、微細なごみに対しては、この回転するブラシ５により排除できるため、円筒状スクリーン２は、付着又は堆積するごみの種類、大きさ、性状等によらず濾過除去することができる。
【００１６】
かくして、本実施例の越流水の除塵装置によれば、流水路Ｓの越流堰１の上に円筒状スクリーン２を配設するとともに、該円筒状スクリーン２にその内面に沿って回転するスクリュー３を配設し、該スクリュー３のブレード４の先端に円筒状スクリーン２を擦るブラシ５を設けることから、円筒状スクリーン２によって粗いごみから微細なごみまで捕集し、回転するスクリュー３により円筒状スクリーン２内のごみを下流側に送るとともに、スクリューブレード４のブラシ５によりスクリーンの目に付着したごみを除去することができ、これにより、円筒状スクリーン２に目詰まりを生じることなく、越流水に含まれるごみを効率的に除塵することができる。
また、回転駆動するスクリュー３をごみの掻き取りに用いることから、従来の直線状に駆動するレーキに比較し、負荷変動やごみ掻き取りに対する改善効果も合わせ持つ。
【００１７】
この場合、円筒状スクリーン２のほぼ全長に亘り前記スクリュー３を配設するとともに、該スクリュー３の下流側端部に、その回転軸３１から半径方向に延設された平板状のスクレーパ９を設けることにより、回転するスクリュー３により円筒状スクリーン２内のごみを下流側に送るとともに、スクリュー３の下流側端部でスクレーパ９により円筒状スクリーン２から流水路Ｓ側にごみを排出することができる。
また、越流水の流下水圧にて回転する水車６を円筒状スクリーン２の下に設置するとともに、前記スクリュー３を該水車６の回転力で駆動することにより、他の動力源を一切用いることなく、ごみの捕集から掻き出し及び円筒状スクリーン２の清掃を自動的に行うことができる。
【００１８】
以上、本発明の越流水の除塵装置について、その実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００１９】
本発明の越流水の除塵装置は、円筒状スクリーンによって粗いごみから微細なごみまで捕集し、回転するスクリューにより円筒状スクリーン内のごみを下流側に送るとともに、スクリューブレードのブラシによりスクリーンの目に付着したごみを除去するという特性を有していることから、ただスクリーンのごみをブラシで掻き取る方式とは異なり、粗ごみから微細ごみまであらゆるごみに対する除塵効果が得られ、また、回転駆動するスクリューは負荷変動も少ないことから信頼性は高く、各所の越流堰に好適に使用することができる。
【図面の簡単な説明】
【００２０】
【図１】本発明の越流水の除塵装置を示し、（ａ）はその断面平面図、（ｂ）は同正面図、（ｃ）は同断面右側面図である。
【符号の説明】
【００２１】
１    越流堰
２    円筒状スクリーン
２１  端板
３    スクリュー
３１  回転軸
３２  バー
４    ブレード
５    ブラシ
６    水車
７    チェーン又はベルト
８    案内桶
９    スクレーパ
Ｓ    流水路
【図１】
2006193959.tif 000003